(57)【要約】【課題】１つの構造体で雌雄の接続体として使用でき、簡単な構造で製造が容易かつ低コストで量産できるとともに、確実な通電を可能とする電線中継用プラグと、該プラグを内挿配置した２体のハウジングからなる電線中継コネクタの提供。【解決手段】２体のプラグ１のコンタクト部４が、プラグ１の長さ方向中間部から先端側３において、中間壁４１とその両端から突出する第一壁４２と第二壁４３からなる仮想コの字形に形成され、これら両壁の一方の壁４２が、中間壁４１に固定された適宜箇所を分岐起点４４として、その先端側が中間壁４１から分離され、その分離壁部分がＵまたはＶ字形となる屈曲部４５と、他方の壁４３側に延伸する延長壁４６とを備え、他方の壁４３が、中間壁４１に固定された適宜箇所から先端方向に突出する突出壁４７を備え、２体のプラグ１の上下左右を逆向きとして、互いの延長壁４６どうしを対向接触させて電気的接続を行う。【選択図】図１１
2016110882.tif 000002
【特許請求の範囲】
【請求項１】
合成樹脂成形ハウジング(8)のプラグ配置空間(PS)内に挿入して使用される一枚の良導金属板製のコネクトプラグ(1)であって、
該プラグ(1)が、長手方向基端側(2)に電線接続用空間(21)を備え、先端側(3)に他プラグとのコンタクト部(4)を備え、
前記電線接続用空間(21)が、電線保持用空間(211)と、電線の抜け止め用バネ金具(6)の内装空間(212)とを備え、
前記コンタクト部(4)が、プラグ(1)の長さ方向中間部から先端側(3)において、中間壁(41)とその両端から突出された第一壁(42)と第二壁(43)とからなる仮想コの字形に形成され、
これら第一壁(42)と第二壁(43)との何れか一方の壁(42)が、中間壁(41)に固定された適宜箇所を分岐起点(44)として、その先端側が中間壁(41)から分離された分離壁とされ、この分離壁部分が適宜箇所からＵ字形またはＶ字形に屈曲された屈曲部(45)と、他方の壁(43)側に向かって延びた延長壁(46)とを備えた形状とされ、
他方の壁(43)が、中間壁(41)に固定された適宜箇所から先端方向に向かって突出する突出壁(47)を備えた形状とされ、
コンタクト部(4)の連結時に、２体のプラグ(1，1)どうしを左右と上下を逆向きとして、互いの延長壁(46，46)どうしを対向接触させて電気的接続を行うようにしてある雌雄同体構造とした電線中継用プラグ。
【請求項２】
一枚の良導金属板製のコネクトプラグ(1)であって、該プラグ(1)が、長手方向基端側(2)に電線接続用空間(21)を備え、先端側(3)に他プラグとのコンタクト部(4)を備え、
前記電線接続用空間(21)が、電線保持用空間(211)と、電線の抜け止め用バネ金具(6)の内装空間(212)とを備え、
前記コンタクト部(4)が、プラグ(1)の長さ方向中間部から先端側(3)において、中間壁(41)とその両端から突出された第一壁(42)と第二壁(43)とからなる仮想コの字形に形成され、
これら第一壁(42)と第二壁(43)との何れか一方の壁(42)が、中間壁(41)に固定された適宜箇所を分岐起点(44)として、その先端側が中間壁(41)から分離された分離壁とされ、この分離壁部分が適宜箇所からＵ字形またはＶ字形に屈曲された屈曲部(45)と、他方の壁(43)側に向かって延びた延長壁(46)とを備えた形状とされ、
他方の壁(43)が、中間壁(41)に固定された適宜箇所から先端方向に向かって突出する突出壁(47)を備えた形状とされた２体の電線中継用プラグ(1，1)を、
絶縁性能を保持した２体の合成樹脂成形ハウジング(8a，8b)のプラグ配置空間(PS，PS)内にそれぞれ内挿配置し、２体のプラグ(1，1)が左右と上下が逆向きとなるようにして、２体のハウジング(8a，8b)どうしを嵌合させ、内挿プラグ(1，1)における互いの延長壁(46，46)どうしを対向接触させて電気的接続を行うようにしてなる電線中継コネクタ。
【発明の詳細な説明】
【技術分野】
【０００１】
本発明は、２本の電線を接続して通電させるために使用する電線中継用プラグと電線中継コネクタに関するものである。
【背景技術】
【０００２】
従来から、電線どうしを接続して通電させるための電線中継用プラグや電線中継コネクタは周知であり、多種多様の形状のものが既に製造され使用されている。これらの電線中継用プラグやコネクタには、家庭用電気機器類の通電ケーブル用コネクタから、通信用ケーブルのように微小で微細な電線どうしの通電に使用されるコネクタが知られている。
【０００３】
また、２体のコネクタプラグどうしを左右と上下を逆向きにして互いに嵌合させることにより、電気的接続を行うことができるようにしたプラグやコネクタについても既に公知となっている（特許文献１，２参照）。
【先行技術文献】
【特許文献】
【０００４】
【特許文献１】特開２０１２−１２９１２５号公報
【特許文献２】実開平３−１２７７８０号公報
【発明の概要】
【発明が解決しようとする課題】
【０００５】
本願出願人が先に開発した先行技術を掲載した前者の特許文献１には、圧接用通電溝を備えたＵ字形金具で電線と接続する圧接接続方式のジョイントコネクタが示され、その構造として、一枚の良導体金属板で成形加工されたプラグと、これを覆う絶縁樹脂ハウジングとで構成され、プラグの構造を、電線挿入側に偏った被覆電線圧接用通電金具の装着部を備え、長手方向中間部にハウジングと契合する抜け止め突起を備え、先端側にコンタクト用プラグ部を備えているものとし、該プラグ部をＵ字形の平行壁と、その先端側部分の下半壁を切除して上半壁のみとした２枚の突出壁とし、コネクタどうしの通電時には、これら２枚の突出壁と平行壁とが相互に接触して通電する構造を示している。このようにしたプラグをハウジングに内装した状態で、２つのコネクタどうしの上下左右を逆向きとして相互に差し込むことによって、電気的接続を行う雌雄同体構造とした電線接続プラグが示されている。
【０００６】
したがって、上記した構造のコネクタは、プラグ部の構造が複雑ではなく、容易に製造できる構造となっているが、電線との接続を圧接接続方式の構造としてあるため、対象電線が被覆電線であって、その接続が圧接接続方式のものに限定され、被覆電線を対象として使用するコネクタ以外には使用することができないという課題を有している。
【０００７】
また、後者の特許文献２にも、電線接続器の構造として、２つの接続器の上下左右を逆向きにして互いに差し込むことにより電気的接続を可能にしたものが示されている。ここに記載の接続器の構造は、端子部と刃受ばねを備えたものとし、この刃受ばねの構造を、割溝によって上下に２分されるとともに、上部刃受ばねには、摺動刃保持部材に連結されたスライド釦の操作によって出退する摺動刃が摺動可能に保持され、下部刃受ばねは、相手方の摺動刃が差し込まれることにより電気的接続が行われる刃受ばね構造とし、上部の摺動刃が挿入側の雄形端子で、下部の刃受ばねが雄形端子の受け入れ用雌形端子とされ、これらの摺動刃と刃受ばねとが摺動刃保持部材のスライド操作によって通電接続される構造としたものである。さらに、この接続器は、電気的接続を行う前記の接続部材とは別に、ロック兼ガイド部材が設けられており、スライド釦に設けられた係止片と係合して接続器どうしの抜け止め作用を果たす構造としたものである。
【０００８】
したがって、上記した構造の接続器は、接続器全体として部品点数が多く構造が複雑で、各部の製造や組み立てに時間を要し、高コストにならざるを得ないという課題を有するものとなっている。
【０００９】
そこで、本発明は、このような公知のコネクタが有している課題を解決すべく全く新しい思想に基づいて開発されたコネクタであって、１つの構造体で雌雄の接続体としての使用が可能で、簡単な構造で製造が容易であり、低コストで量産できるとともに、確実な通電を可能とする電線中継用金具としてのプラグと、このプラグを絶縁ハウジング内に内挿した電線中継用コネクタの提供を目的としたものである。
【課題を解決するための手段】
【００１０】
該目的を達成するために講じた本発明に言うところの請求項１に記載の電線中継用プラグの構成について、実施例において使用した符号を用いて説明すると、合成樹脂成形ハウジング８のプラグ配置空間ＰＳ内に挿入して使用される一枚の良導金属板製のコネクトプラグ１であって、該プラグ１が、長手方向基端側２に電線接続用空間２１を備え、先端側３に他プラグとのコンタクト部４を備え、前記電線接続用空間２１が、電線保持用空間２１１と、電線の抜け止め用バネ金具６の内装空間２１２とを備え、前記コンタクト部４が、プラグ１の長さ方向中間部から先端側３において、中間壁４１とその両端から突出された第一壁４２と第二壁４３とからなる仮想コの字形に形成され、これら第一壁４２と第二壁４３との何れか一方の壁４２が、中間壁４１に固定された適宜箇所を分岐起点４４として、その先端側が中間壁４１から分離された分離壁とされ、この分離壁部分が適宜箇所からＵ字形またはＶ字形に屈曲された屈曲部４５と、他方の壁４３側に向かって延びた延長壁４６とを備えた形状とされ、他方の壁４３が、中間壁４１に固定された適宜箇所から先端方向に向かって突出する突出壁４７を備えた形状とされ、コンタクト部４の連結時に、２体のプラグ１，１どうしを左右と上下を逆向きとして、互いの延長壁４６，４６どうしを対向接触させて電気的接続を行うようにしたものである。
【００１１】
また、請求項２に記載の電線中継コネクタの構成は、請求項１に記載の電線中継用プラグ１を合成樹脂成形のハウジング８内に内挿させて使用するようにしたものであって、その構成は、一枚の良導金属板製のコネクトプラグ１であって、該プラグ１が、長手方向基端側２に電線接続用空間２１を備え、先端側３に他プラグとのコンタクト部４を備え、前記電線接続用空間２１が、電線保持用空間２１１と、電線の抜け止め用バネ金具６の内装空間２１２とを備え、前記コンタクト部４が、プラグ１の長さ方向中間部から先端側３において、中間壁４１とその両端から突出された第一壁４２と第二壁４３とからなる仮想コの字形に形成され、これら第一壁４２と第二壁４３との何れか一方の壁４２が、中間壁４１に固定された適宜箇所を分岐起点４４として、その先端側が中間壁４１から分離された分離壁とされ、この分離壁部分が適宜箇所からＵ字形またはＶ字形に屈曲された屈曲部４５と、他方の壁４３側に向かって延びた延長壁４６とを備えた形状とされ、他方の壁４３が、中間壁４１に固定された適宜箇所から先端方向に向かって突出する突出壁４７を備えた形状とされた２体の電線中継用プラグ１，１を、絶縁性能を保持した２体の合成樹脂成形ハウジング８ａ，８ｂのプラグ配置空間ＰＳ，ＰＳ内にそれぞれ内挿配置し、２体のプラグ１，１が左右と上下が逆向きとなるようにして、２体のハウジング８ａ，８ｂどうしを嵌合させ、内挿プラグ１，１における互いの延長壁４６，４６どうしを対向接触させて電気的接続を行うようにしたものである。
【発明の効果】
【００１２】
本発明に言うところの電線中継コネクタ用のプラグは、一枚の良導金属板で成形したプラグであって、長手方向の基端側に電線接続用の空間を備え、先端側に他のプラグとのコンタクト部を形成してあるものとし、このコンタクト部の構造を、プラグの長手方向ほぼ中間部から先端側において、中間壁とその両端から対向して突出させた第一壁と第二壁とで仮想コの字形を構成し、これら第一壁と第二壁との何れか一方の壁を、中間壁に固定された適宜箇所を分岐起点として、その先端側を中間壁から分離された分離壁とし、この分離壁部分を適宜箇所からＵ字形またはＶ字形に屈曲させた屈曲部と、他方の壁側に向かって延びた延長壁とを備えている形状とし、他方の壁を、中間壁に固定された適宜箇所から先端方向に向かって突出する突出壁を備えさせた形状とすることによって、コンタクト部の連結時に、２体のプラグどうしの上下左右を逆向きとして、互いの延長壁どうしを対向接触させて電気的接続を行うようにしたものであるから、構造が複雑になることなく、単一の構造体を量産すればよいことから製造が容易で量産化に適しているという独自の効果を期待できる。
【００１３】
請求項２に記載のコネクタにあっては、上記の効果を有する２体のプラグを樹脂ハウジングの内部に形成したプラグ配置空間内に予め内挿されているコネクタによって、ほぼワンタッチ操作で電気的接続を行うことができて便利に使用できるという効果を有する。
【図面の簡単な説明】
【００１４】
【図１】本発明の第１実施例のプラグを示す正面図。
【図２】図１に示すプラグの平面図。
【図３】図１に示すプラグの背面図。
【図４】図１に示すプラグの底面図。
【図５】図１に示すプラグの左側面図。
【図６】図１に示すプラグの右側面図。
【図７】図１に示すプラグの正面上方先端側から見た斜視図。
【図８】プラグどうしの接続直前状態を示す斜視図。
【図９】プラグどうしの接続状態を示す斜視図。
【図１０】ハウジングの構造を示す中央横断平面図。
【図１１】ハウジングの構造を示す中央縦断正面図。
【図１２】２体のハウジングの嵌合状態を示す中央縦断正面図。
【図１３】２体のハウジングを左右に配置した状態を示す外観斜視図。
【図１４】２体のハウジングの嵌合状態を示す外観斜視図。
【図１５】２体のハウジングの嵌合状態を示す平面図。
【図１６】２体のハウジングの嵌合状態を示す正面図。
【図１７】ハウジングの左側面図。
【図１８】本発明の第２実施例のプラグを示す正面図。
【図１９】図１８のプラグを対向配置した状態を示す正面図。
【図２０】図１８のプラグどうしの接続状態を示す正面図。
【発明を実施するための形態】
【００１５】
本発明に言うプラグを形成するための良導体金属板の素材は、例えば、りん青銅のような銅系の素材が好ましく、また、表面に光沢スズメッキのような光沢膜を形成してあるものが好ましい。しかしながら、特定の金属素材や特定の表面処理のみに限定する意図はなく、接触通電性に優れたものであればよい。
【００１６】
また、ハウジングを形成する絶縁性を有する合成樹脂素材としては、例えば、ポリカーボネートのようなポリエステル系の樹脂が、耐衝撃性を備えているとともに機械的強度に優れている点で好ましい。しかしながら、特定の素材のみに限定する意図はなく、絶縁性に優れたものであればよい。
【実施例１】
【００１７】
以下本発明のプラグ金具の第１実施例について図面に基づいて説明する。該実施例に示した金属製のプラグ１は、金具全体を一枚のりん青銅製の金属板で成形加工したものである。例えば後述する図１０〜１７におけるポリカーボネート製のハウジング８に内装して使用するものである。以下において、このプラグ１をハウジング８内に内挿して絶縁したものを「コネクタ」と言う。
【００１８】
該プラグ１は、図１〜９に示す構造を備えたものであり、その構造を殊に図１，７に基づいて説明すると、全体として横長の形態であって、図１の左側に記載した長手方向基端側２に図１０，１１に示す電線の絶縁被覆剥離導電線ｃを挿入する電線接続用空間２１を形成し、図１のプラグ１の右側に示す先端側３に、他のプラグとのコンタクト部４を形成した形状としている。
【００１９】
図１の左側部分は、同図において縦方向に位置する中間壁４１と、その上下端から手前側に向かって折り曲げられた上壁５１と下壁５２とで側面視コの字形に形成され、図において上側の電線保持用空間２１１と、下側のバネ金具６の内装空間２１２とを備えた電線接続用空間２１が形成されている。
【００２０】
この実施例に示したバネ金具６は、図１１に示すように、電線保持用空間２１１内に挿入した絶縁被覆剥離導電線ｃを上壁５１に向かって押圧する電線押圧バネ６１と、電線ｃの抜け方向への移動を阻止する電線抜け止めバネ６２とを備えたものとして示してある。
【００２１】
また、図１０，１１には、符号ＶＶＦＣとして示した３線式の平形ケーブルを例示している。なお、この電線は、２線式の平形ケーブルでもよく、また複数の単線ケーブルを用いてもよいことは言うまでもない。
【００２２】
前記した他のプラグとのコンタクト部４は、主として図１，７に示すように、プラグ１の長手方向ほぼ中間部２０から先端側３を、基端側２から連続する中間壁４１を挟んで、その上下両端から対向してコの字形に突出する第一壁４２と第二壁４３とを備えたものとし、上側の第一壁４２が、適宜の分岐起点４４から分離され、その先端側において第二壁４３側に向かってＵ字形に屈曲する屈曲部４５と、さらにその先端側がプラグの基端側２に向かって延びる延長壁４６とを備えた形状としてある。
【００２３】
他方の第二壁４３は、中間壁４１に連接する壁部分から先端側３において、略直線状に延長された部分である突出壁４７を備えた形状としてある。
【００２４】
このような構造としたプラグ１は、電気的接続時において、図８に示したように、２つのプラグ１，１どうしの左右方向と上下方向とを位相させて、すなわち、左側に示したプラグ１に対して、右側に示した別のプラグ１を平面視方向と上下方向とを１８０度変位させて、互いの第一壁４２における延長壁４６と第二壁４３における突出壁４７との間の間隙内に、Ｕ字形に屈曲させた屈曲部４５を押し込む状態として奥に相対移動させて、図９に示すように２つのプラグ１，１どうしの延長壁４６，４６の対向面どうしを接触させて、電気的に接続する構造としたものである。
【００２５】
このような本発明のプラグ１を使用するに当たっては、図１０，１１に示すように、合成樹脂製ハウジング８のプラグ配置空間ＰＳ内に挿入固定して、絶縁保護状態として使用することになる。
【００２６】
ここに示したハウジング８，８は、図１０〜１２における各図の左側に示した差込側ハウジング８ａと、右側に示した受入側ハウジング８ｂとで構成される。左側の差込側ハウジング８ａは、該実施例のものにあっては、一端に３本の小径の角筒体８１が並列して形成されており、同右側の受入側ハウジング８ｂは、これら３本の角筒体８１を挿入可能な大形の３本の角筒体８２を一端に備えたものとしてある。これらのハウジング８ａ，８ｂは、図１３に示す矢印ｂのように、差込側ハウジング８ａと受入側ハウジング８ｂとを相対移動させて、図１４に示すように直線状に嵌合させる。また、該ハウジング８には、図１７に示すようにそれぞれの一端側に電線挿入部８８とこれに続く内奥部に個別電線の案内孔８６が設けられ、その奥はプラグ１におけるコンタクト部４の電線接続用空間２１に繋がるようになっている。
【００２７】
そして、差込側ハウジング８ａの小径の角筒体８１を受入側ハウジング８ｂの大形の角筒体８２に挿入嵌合させて連結する。このようにして２体のハウジング８ａ，８ｂどうしを連結すると、それぞれの内部に挿入させてあるプラグ１，１どうしが図９に示した姿勢となって、図１２に示すように２体のハウジング８ａ，８ｂ内においてそれぞれの延長壁４６，４６の対向面どうしが接触し、通電可能な状態に接続される。
【００２８】
また、これら左右のハウジング８，８どうしは、図１４〜１６に示したように、門形に形成した係合体８３とその中に嵌り込むようにした突起形係止体８４との係合によって、一旦係合した後は、積極的に係合解除操作をしなければ嵌合したままの状態を維持する構造としてある。
【００２９】
本実施例に示したプラグ１の大きさは、接続する被覆電線の線径や必要とされる通電量により大小様々に形成できる性質のものであるが、敢えて参考までに例示すると、図１に示したプラグ１の左右長さが３０〜３５ｍｍ、図１０，１１に示したハウジング８の左右長さが７５〜８０ｍｍ程度のものとして実施することができる。
【実施例２】
【００３０】
以上では、本発明のプラグ１に関する主たる実施例を第１実施例として示したが、該プラグ１の変形例を第２実施例として以下に示す。
【００３１】
ここに示す第２実施例のプラグ１０は、その正面形状を示す図１８に見られるように、前記第１実施例で示した中間壁４１に連なる第一壁４２の先端側３においてＵ字形に屈曲された屈曲部４５に相当する壁部分を、Ｖ字形に変形したものであって、このＶ字形の屈曲部４５から第二壁４３側に向かって延びる延長壁４６部分を、延長端側ほど第二壁４３側へ近接するように傾斜させたものである。
【００３２】
このように延長壁４６部分を傾斜壁構造とした２本のプラグ１０，１０を、図１９に示すように前記第１実施例の場合と同様に方向変換させて配置し、さらに図２０に示すようにこれら２本のプラグ１０，１０の傾斜延長壁４６，４６の対向面どうしを直接接触させて通電を行うようにしたものである。
【００３３】
該実施例に示したプラグ１０は、このように屈曲部４５に続く傾斜延長壁４６，４６どうしを直接接触させ易く、この接触面を圧接状態としたまま通電させておくことができるので、安全かつ確実に通電させることができるという利点を有する。
【００３４】
以上本発明の代表的と思われる実施例について説明したが、本発明は前記の構成要件を充足し、前記の目的を達成し、前記の効果を有する範囲内において適宜に改変して実施することができるものである。
【産業上の利用可能性】
【００３５】
本発明に言うプラグ１と、該プラグ１を内装して絶縁した一対のハウジング８，８は、単に押し込み連結するだけでよいことから、電線どうしの接続をほぼワンタッチ操作で極めて簡単に完了することができるので、市場において大いに使用される可能性を秘めたものである。
【符号の説明】
【００３６】
１、１０  プラグ
２  プラグの基端側
２１  電線接続用空間
２１１  電線保持用空間
２１２  バネ金具内装空間
３  プラグの先端側
４  コンタクト部
４１  中間壁
４２  第一壁
４３  第二壁
４４  分岐起点
４５  屈曲部
４６  延長壁
４７  突出壁
６  バネ金具
８（８ａ，８ｂ）  ハウジング
ＰＳ  プラグ配置空間
【図１】
2016110882.tif 000003
【図２】
2016110882.tif 000004
【図３】
2016110882.tif 000005
【図４】
2016110882.tif 000006
【図５】
2016110882.tif 000007
【図６】
2016110882.tif 000008
【図７】
2016110882.tif 000009
【図８】
2016110882.tif 000010
【図９】
2016110882.tif 000011
【図１０】
2016110882.tif 000012
【図１１】
2016110882.tif 000013
【図１２】
2016110882.tif 000014
【図１３】
2016110882.tif 000015
【図１４】
2016110882.tif 000016
【図１５】
2016110882.tif 000017
【図１６】
2016110882.tif 000018
【図１７】
2016110882.tif 000019
【図１８】
2016110882.tif 000020
【図１９】
2016110882.tif 000021
【図２０】
2016110882.tif 000022